(57)【要約】【課題】被取付け部の表面に当てるように防水性をもって固定されるグロメットの周縁部の不測の捲れ上がりを防止する。【解決手段】ワイヤハーネスを通す保護筒部１２の基部を支持して、被取付け部の表面に当てるように固定される固定基部１３を有し、固定基部１３内にはグロメットインナを取り付けるグロメットインナ取付け部３３を備えるとともに、固定基部１３の外周に、外方に張り出して被取付け部の表面に圧接するリップ部３４を備えたグロメットにおいて、リップ部３４の上面に、固定基部１３において保護筒部１２が連設された筒状をなす筒状部３１の外周面から放射状に延びる、複数本の外リブ３５を一体に備える。【選択図】図１
2014135845.tif 000002
【特許請求の範囲】
【請求項１】
ワイヤハーネスを通す保護筒部の基部を支持して、被取付け部の表面に当てるように固定される固定基部を有し、該固定基部内にはグロメットインナを取り付けるグロメットインナ取付け部を備えるとともに、固定基部の外周に、外方に張り出して前記被取付け部の表面に圧接するリップ部を備えたグロメットであって、
前記リップ部の上面に、前記固定基部において前記保護筒部が連設された筒状をなす筒状部の外周面から延びる、複数本の外リブを一体に備えた
グロメット。
【請求項２】
前記外リブが前記筒状部の中心を中心として放射状に延びる
請求項１に記載のグロメット。
【請求項３】
前記外リブの高さが先端側ほど低くなる
請求項１または請求項２に記載のグロメット。
【請求項４】
前記リップ部より内周側に、前記被取付け部の表面に圧接する内リップ部を備え、
該内リップ部と前記リップ部との間に、これらを離間保持する複数本の内リブを備えた
請求項１から請求項３のうちいずれか一項に記載のグロメット。
【請求項５】
前記内リブを前記外リブに対応する位置に形成した
請求項３に記載のグロメット。
【発明の詳細な説明】
【技術分野】
【０００１】
この発明は、ワイヤハーネスを保護するグロメットに関し、より詳しくは、例えば車両ドアハーネスの配索に用いられるようなグロメットに関する。
【背景技術】
【０００２】
車両ドアハーネスの配索には、例えば下記特許文献１のようなグロメットが用いられる。このグロメット（グロメット本体）は、ゴム製で、ドア側に固定される合成樹脂製のグロメットインナを一体に備える。グロメットとグロメットインナは、ワイヤハーネスを保護するハーネス保護筒を有し略平板状のグロメットの内面側に、グロメットインナが突出した状態で一体化される。
【０００３】
グロメットインナには、車両ドアの側面部に形成されたグロメット装着凹部のクリップ係合穴に係合するクリップが突設され、クリップの基部側には、水の浸入を阻止する防水リップが形成されている。つまりクリップをクリップ係合穴に差し込んで係合すると、防水リップがクリップとクリップ係合穴との間を塞いで止水する。このとき、グロメットの外周の周縁部は車両ドアのグロメット装着凹部の縁に対して圧接して、ここでも防水を行う。つまり防水は二重になされる。
【０００４】
しかし、グロメットは前述のようにゴム製であり、周縁部は先端側ほど薄くなる断面形状で柔軟に弾性変位するように形成されているので、周縁部は異物が挟まったりして捲れ上がり、グロメット装着凹部の縁での防水性が損なわれるおそれがある。
【０００５】
グロメット装着凹部の縁での防水性が損なわれると、内部への水の浸入を許すことになり、防水リップ部での防水に負担をかけることになる。
【先行技術文献】
【特許文献】
【０００６】
【特許文献１】特許第４０９１１８８号公報
【発明の概要】
【発明が解決しようとする課題】
【０００７】
そこで、この発明は、グロメットの周縁部の不測の捲れ上がりを防止できるようにすることを主な目的とする。
【課題を解決するための手段】
【０００８】
この発明は、ワイヤハーネスを通す保護筒部の基部を支持して、被取付け部の表面に当てるように固定される固定基部を有し、該固定基部内にはグロメットインナを取り付けるグロメットインナ取付け部を備えるとともに、固定基部の外周に、外方に張り出して前記被取付け部の表面に圧接するリップ部を備えたグロメットであって、前記リップ部の上面に、前記固定基部において前記保護筒部が連設された筒状をなす筒状部の外周面から延びる、複数本の外リブを一体に備えたことを特徴とする。前記「リップ部の上面」とは、被取付け部の表面に圧接する面と反対側の面の意味である。
【０００９】
この発明により、リップ部の上面を、固定基部の筒状部の外周面から延びる複数本の外リブが押さえているので、リップ部を構造的に補強し、柔軟な材料からなるリップ部がみだりに捲れ上がることを抑制し、被取付け部の表面部分での高い防水性を得られる。
【００１０】
この発明の態様として、前記外リブを、前記筒状部の中心を中心として放射状に延びるように構成することができる。
【００１１】
この発明により、筒状部の中心から四方八方に広がるように外リブが延びるので、リップ部の捲れ上がりを安定性よく効果的に防止できる。
【００１２】
この発明の態様として、前記外リブの高さが先端側ほど低くなるように構成することができる。
【００１３】
この発明により、外リブの基部側ほど構造的強度が高く先端側ほど柔軟にすることができるので、密着性を高めることができる。
【００１４】
この発明の態様として、前記リップ部より内周側に、前記被取付け部の表面に圧接する内リップ部を備え、該内リップ部と前記リップ部との間に、これらを離間保持する複数本の内リブを備えた構成とすることができる。
【００１５】
この発明により、内リップ部がリップ部とともに被取付け部の表面に圧接するので、密着する面積を増やして、止水性の向上を図ることができる。そのうえ、内リブが内リップ部の補強をして、内リップ部がみだりに捲れ上がるのを抑制するとともに、外側に位置するリップ部も補強をして、安易な変位を抑制し、内リップ部とリップ部が相互に補強され合うことを促す。この結果、被取付け部の表面部分での高い防水性を得られる。
【００１６】
この発明の態様として、前記内リブを前記外リブに対応する位置に形成した構成とすることができる。前記「対応する位置」とは、内リブの厚さ方向の中心位置と外リブの厚さ方向の中心位置が一致して、内リブと外リブがリップ部を介して背中合わせに配置される位置のことである。
【００１７】
この発明により、内リブの弾性変位を外リブが抑制するので、内リップ部の補強の程度を高めて、より高い防水性を得られる。
【発明の効果】
【００１８】
この発明によれば、グロメットの周縁部の不測の捲れ上がりを防止して、防水性を高めることができる。
【図面の簡単な説明】
【００１９】
【図１】グロメットの正面、左側面及び平面を示す斜視図。
【図２】グロメットの背面、左側面及び平面を示す斜視図。
【図３】グロメットとグロメットインナと被取付け部の一部断面側面図。
【図４】要部の断面図。
【図５】作用状態の断面図。
【発明を実施するための形態】
【００２０】
この発明を実施するための一形態を、以下図面を用いて説明する。  
図面のうち図１は、グロメット１１の正面、左側面及び平面を示す斜視図で、図２は、グロメット１１の背面、左側面及び平面を示す斜視図である。図３は、グロメット１１とグロメットインナ１６と被取付け部１５の分解状態の一部断面側面図で、図４はグロメット１１の要部を示す断面図、図５はその作用状態の断面図である。
【００２１】
図示例のグロメット１１は、車両ドアハーネスの配索に用いられるもので、図１、図２に示したように、ワイヤハーネスを通す保護筒部１２と、この保護筒部１２の基部を支持する固定基部１３と、前記保護筒部１２の先端に形成された接続部１４とを有する。保護筒部１２と固定基部１３と接続部１４はゴム又は合成樹脂製で、一体である。
【００２２】
前記保護筒部１２は、必要な長さの円筒の蛇腹状に形成され、屈曲自在である。
【００２３】
前記接続部１４は、図示しないコネクタが接続される部分で、適宜の形状に形成されている。
【００２４】
前記固定基部１３は、前記保護筒部１２を支えるべく保護筒部１２から連設された筒状をなす筒状部３１と、この筒状部３１の基部から四方に広がる板状の板状部３２を有する。筒状部３１は円筒形状である。板状部３２は、被取付け部１５としてのドアパネル側面（図３参照）の表面に当てるように固定される部分で、略半長円形である。板状部３２における円弧を描く一端部に、その円弧の中心と前記筒状部３１の中心が一致するように、前記筒状部３１が設けられている。板状部３２の他端側は、端部側ほど若干幅広となる形状で、他端は、１８０度に近い鈍角の凸三角形状である。
【００２５】
この固定基部１３内には、グロメットインナ１６を取り付けるためのグロメットインナ取付け部３３を備える（図２、図３参照）。
【００２６】
ここで、グロメットインナ１６について簡単に説明すると、グロメットインナ１６は、図３に側面図で示したように、前記保護筒部１２内に挿入されるワイヤハーネス１７をドアパネルに沿って配索するために、前記筒状部３１に対応する位置と板状部３２の他端側に対応する位置でＬ字状に曲げて所定方向に導く部材で、適宜の硬度で可撓性を有する合成樹脂で形成されている。
【００２７】
グロメットインナ１６は、ワイヤハーネス１７を収容する本体部６１と、この本体部６１における被取付け部１５側の面に突設されたクリップ部６２を有する。本体部６１は、被取付け部１５に形成されたグロメット装着凹部１５ａに収まる薄さの略箱形状である。
【００２８】
この本体部６１の反被取付け部側には、外方に張り出す複数の取付け片６３を有している。これらの取付け片６３を嵌合してグロメット１１とグロメットインナ１６を一体に結合する複数の取り付け溝３３ａがグロメット１１における前記板状部３２に形成され、前記グロメットインナ取付け部３３を構成している。
【００２９】
グロメットインナ１６のクリップ部６２は、被取付け部１５のグロメット装着凹部１５ａのクリップ係合穴１５ｂに嵌合して突き抜ける大きさに形成され、側面には、クリップ部６２がクリップ係合穴１５ｂの反対側に突出して所定の係合状態が得られた時点でクリップ係合穴１５ｂの縁に係合する複数の係合爪６４を有する。
【００３０】
またクリップ部６２の基部には、前記係合爪６４が係合したときにクリップ係合穴１５ｂの縁に圧接して止水を行うクリップ側防水リップ部６５が環状に形成されている。
【００３１】
前記固定基部１３の外周における板状部３２の他端を除く部位には、外方に張り出しており、一体化したグロメットインナ１６のクリップ部６２をグロメット装着凹部１５ａのクリップ係合穴１５ｂに係合した時点でグロメット装着凹部１５ａの外周側の表面に圧接するリップ部３４を備えている。リップ部３４は、先端側ほど被取付け部１５側に湾曲するような断面形状で、途中から先端側が先端側ほど薄い形状である。
【００３２】
このリップ部３４の上面（被取付け部１５に圧接する面と反対側の面）に、図１、図４に示したように、前記固定基部１３の筒状部３１の外周面から延びる複数本の外リブ３５を一体に備えている。外リブ３５は、先端側ほど高さが低くなる側面視略三角形の板状で、筒状部３１の上端位置からリップ部３４の先端まで延びている。外リブ３５の厚さは全体にわたって同一である。
【００３３】
このような形状の外リブ３５は、前記筒状部３１の中心を中心としてリップ部３４を有する部分に放射状に延びるように形成している。外リブ３５の形成間隔は所望する補強度合いに応じて、材料の硬度等に基づいて適宜設定される。
【００３４】
このリップ部３４より内周側における被取付け部１５に圧接する側の面には、前記リップ部３４と同様に被取付け部１５の表面に圧接する内リップ部３６を備えている。内リップ部３６は、前記リップ部３４と同様に、固定基部１３の外周における板状部３２の他端を除く部位に形成され、先端側ほど被取付け部１５側に湾曲するような断面形状で、途中から先端側が先端側ほど薄い形状である。
【００３５】
内リップ部３６の被取付け部１５側への突出量は、外周側に位置する前記リップ部３４の突出量よりも若干少なく設定し、リップ部３４との間には全体にわたって等間隔の隙間を有する。この隙間３７における内リップ部３６とリップ部３４の付け根側の部分に、内リップ部３６とリップ部３４を離間保持する複数本の内リブ３８を備えている。内リブ３８は、外リブ３５と同様に、全体にわたって同一厚さの板状である。
【００３６】
内リブ３８の形成位置や本数は適宜設定されるが、形成位置については図２、図４に示したように、外リブ３５に対応する位置であるとよい。内リブ３８の形成本数は、図示例のように外リブ３５と同一であるほか、外リブ３５よりも多くしたり少なくしたりすることもできる。内リブ３８の形成位置や本数の設定は、外リブ３５の場合と同様、所望する補強度合いに応じて、外リブ３５の態様や材料の硬度等に基づいて適宜設定される。
【００３７】
前記リップ部３４と前記内リップ部３６のほかに、被取付け部１５に圧接して防水を行う防水突条３９を、図２、図４に示したように内リップ部３６の基部における被取付け部１５に対向する面に、全周にわたって形成している。
【００３８】
このような構成のグロメット１１は、次のような作用効果を有する。  
使用に際しては、まず、グロメット１１の接続部にワイヤハーネス１７のコネクタを取り付け、グロメット１１のグロメットインナ取付け部３３にワイヤハーネス１７を通したグロメットインナ１６を取り付ける。
【００３９】
つぎに、ワイヤハーネス１７をドアパネルの所定位置に沿わせて、グロメット１１に一体化したグロメットインナ１６のクリップ部６２をドアパネルのグロメット装着凹部１５ａのクリップ係合穴１５ｂに係合する。グロメットインナ１６をグロメット装着凹部１５ａに嵌めるようにして押し当てると、クリップ部６２がクリップ係合穴１５ｂに嵌まり、係合爪６４がクリップ係合穴１５ｂの縁に係合して、図５に示したように装着が完了する。
【００４０】
このとき、クリップ部６２の基部のクリップ側防水リップ６５は弾性変位し、弾性復帰しようとする付勢力を有しつつ、クリップ係合穴１５ｂとグロメットインナ１６との間を止水状態にする。
【００４１】
また、クリップ係合穴１５ｂよりも表側にある、グロメット装着凹部１５ａより外周側の表面では、固定基部１３の外周のリップ部３４と内リップ部３６が、弾性変位しながらグロメット装着凹部１５ａより外周側の表面に圧接して、止水状態を得る。リップ部３４と内リップ部３６の弾性変位は、外リブ３５と内リブ３８が形状を保持するように作用することによって抑制される。具体的には、外リブ３５はリップ部３４の上面を押さえ、内リブ３８は内リップ部３６を押さえるとともに内リップ部３６とリップ部３４を離間保持した状態で結合一体化するので、リップ部３４と内リップ部３６が互いに変形を抑制し合うようになって、材料の柔軟性に基づいてきわめて容易に弾性変位してしまうことを防止する。
【００４２】
したがって、リップ部３４と内リッププ３６とそれらの近傍が構造的に補強され、グロメット装着凹部１５ａより外周側の表面で、強力な圧接状態が得られる。強力な圧接によって、リップ部３４や内リップ部３６がみだりに捲れ上がることを抑制し、被取付け部１５の表面部分での高い防水性が得られる。
【００４３】
また構造的に補強されたリップ部３４と内リップ部３６は、グロメットインナ１６を引っ張る方向に付勢する作用をするので、グロメットインナ１６のクリップ部６２のクリップ係合穴１５ｂに対する係合状態を強力に保持することができ、振動等によるがたつきの発生も防止できる。
【００４４】
被取付け部１５の表面に対する圧接は、リップ部３４のほかに内リップ部３６でも行うので、密着する面積がリップ部３４のみの場合に比して増大し、止水性が向上する。そのうえ、内外二重のリップ部（リップ部３４と内リップ部３６）を有するので、被取付け部１５に対する圧接状態は、一重の場合に比して粘り強いものとなる。
【００４５】
その内リップ部３６は、外リブ３５と背中合わせに設けた内リブ３８によって補強されるとともに、リップ部３４と一体化しているので、内リップ部３６の構造的強度は高まり、より密着度の高い圧接状態が得られる。
【００４６】
このように強力で粘り強い圧接状態を得られるにもかかわらず、外リブ３５と内リブ３８は先端側ほど高さが低い形状であるので、しなやかさを有し、被取付け部１５の表面に対する密着性を高めることができ、捲れ上がり防止に貢献する。
【００４７】
しかも外リブ３５と内リブ３８は、筒状部３１の中心から放射状に広がるように形成したので、圧接状態は安定性のよいものとなり、リップ部３４や内リップ部３６の捲れ上がりやグロメット１１のがたつきは、効果的に防止可能である。
【００４８】
グロメット１１における被取付け部１５の表面に対する防水性が高い結果、グロメットインナ１６のクリップ部６２近傍でのクリップ側防水リップ６５の防水性を補完でき、全体としての防水性能の向上を図ることができる。
【００４９】
以上はこの発明を実施するための一形態の構成であり、この発明は前述の構成のみに限定されるものではなく、その他の構成を採用することもできる。
【００５０】
例えば、リップ部は二重ではなく、三重等に形成することができる。この場合、リブも内外に三重等に配設できる。
【００５１】
また、外リブ３５は、放射状に限らず、例えば平面視格子状やハニカム状に形成してもよい。リブの厚さは全体を同一にするのではなく、例えば先端側を薄くするなど厚みに変化をつけることもできる。
【００５２】
保護筒部１２と固定基部１３の向きや形状等は、使用箇所に応じて適宜設定される。
【符号の説明】
【００５３】
１１…グロメット
１２…保護筒部
１３…固定基部
１５…被取付け部
１６…グロメット
１７…ワイヤハーネス
３１…筒状部
３３…グロメットインナ取付け部
３４…リップ部
３５…外リブ
３６…内リップ部
３８…内リブ
【図１】
2014135845.tif 000003
【図２】
2014135845.tif 000004
【図３】
2014135845.tif 000005
【図４】
2014135845.tif 000006
【図５】
2014135845.tif 000007